Podtech/llm-jp-corpus-v4-ja_patent huggingface dataset:
(57)【要約】【課題】これまでの、内視鏡又はＸ線を使用するような患者に対し侵襲の大きい手段でなく、侵襲のない手段で、胃瘻カテーテルを胃内に適切に留置できたか否か判断することのできる医療用具を提供することにある。【解決手段】留置した胃瘻カテーテルが、胃内にあるか否かを患者に侵襲なく検知するため、該胃瘻カテーテルのルーメンを経由して検知手段を人体内に挿入するように構成し、可撓性の有る長尺状に形成したロッド１の先端又はその近傍に青色リトマス又はＰＨ指示薬を含有する酸性反応部材２を付設してある。即ち、ロッド１を抜去したとき、酸性反応部材２により胃瘻カテーテルが胃内に留置されていることが確認できる。【選択図】図１
2005034423.tif 000002
【特許請求の範囲】
【請求項１】
長尺状の可撓性を有するロッド１の先端もしくはその近傍に、青色リトマス又はＰＨ指示薬を含有する酸性反応部材２を付設したことを特徴とするカテーテル留置位置確認ロッド。
【請求項２】
長尺状の可撓性を有するロッド１の先端もしくはその近傍に、青色リトマス又はＰＨ指示薬を含有する酸性反応部材２を付設し、ロッド１を可撓性を有する筒体の保護管３に収容したことを特徴とするカテーテル留置位置確認ロッド。
【発明の詳細な説明】
【技術分野】
【０００１】
本発明は、胃瘻カテーテルの体内挿入施術において、該カテーテルの留置位置の適否判断を的確かつ容易に行い得る医療用具に関するものである。
【背景技術】
【０００２】
医療施術においては、施術目的に対し有効であることと併せて、患者の安全が確保されることが最も重要な課題である。従って、施術過程が施術目的に沿って誤りなく進行しているか否かを確認する作業が、不測な危険を避けるために求められる場合が多い。留置用胃瘻カテーテルの挿入手技もその一例である。例えば、交換用胃瘻カテーテルを瘻孔に挿入するとき、誤って瘻孔を破壊し、胃内に留置すべき該カテーテルを腹腔内に留置し、このことに気づかず該カテーテルによる栄養投与を開始し、患者に重篤な合併症を発症させる事故例が後を絶たない。
【０００３】
胃瘻孔より胃内へカテーテルを誘導する器具の提案はあるが、より重要な問題は、胃内にカテーテルを留置できたか否かを確認する手段である。この手段として従来行われているのは、内視鏡を用いたりＸ線を使用したりしていたのであるが、患者への侵襲が大きいこと及び在宅医療の増加に伴う在宅でのカテーテル交換事例が増え、内視鏡やＸ線使用による確認自体が困難なため、代替確認手段として、送気して胃内の振動音を聴取し留置位置を判断する不確実な手段によったり、位置の確認自体を行わないことすらあるのが現状といえる。
【特許文献１】特開２００２−１７８６６号公報
【発明の開示】
【発明が解決しようとする課題】
【０００４】
解決しようとする問題点は、前記のような施術上の危険の発生を未然に防止し、患者に何時でも安全な医療を受けられるようにすることである。
【課題を解決するための手段】
【０００５】
本発明は、胃瘻カテーテルが胃内に適切に留置されたか否かを患者への侵襲を伴わずに判断する手段として、該カテーテルが胃内に留置されていれば、該カテーテルの少なくとも先端部及び近傍は胃液（酸性）に接することになるので、該カテーテルのルーメンを経由してロッドを嵌挿入し、該ロッドの先端を前記ルーメンより僅かに突出させれば、前記ロッドの先端部及び近傍も胃液に接することになるから、該ロッドの先端部又は近傍に予め酸性に反応する部材を付設し、抜去したとき胃液に接したか否かを確認できることを最も主要な特徴とする。
【発明の効果】
【０００６】
本発明のカテーテル位置確認ロッドは、先端部又は近傍に青色リトマス又はＰＨ指示薬を含有する部材例えばリトマス紙を巻着してあるので、留置した胃瘻カテーテルのルーメンを経由して挿入し、抜去したとき、留置カテーテルが胃内にあれば前記部材は赤変し、腹腔内にあれば赤変しないので、容易にかつ患者への侵襲を伴わずに留置位置を確認できるという利点がある。
【発明を実施するための最良の形態】
【０００７】
留置カテーテルのルーメンを経由して体内に挿入するように構成したので、ロッドがルーメン内にある際は、直接胃液に接することはなく、その先端部がルーメンから突出した時点で漸く胃液その他の体液に接することになるので、極めてシンプルな構成で留置カテーテルの留置位置が胃内にあるか、その外にあるか確認するという目的を実現した。
【実施例１】
【０００８】
図１は、本発明の実施例１の概要を示す正面図、図２は、胃瘻カテーテルが胃５の内部に留置された状況を示す模型説明図である。図１に示すように、ロッド１は可撓性のある例えば合成樹脂を用いて長尺状に形成し、その先端部又は近傍に青色リトマス又はＰＨ指示薬を含有する酸性反応部材２を付設する。例えばリトマス試験紙を巻着し、ロッド１を留置した胃瘻カテーテル４のルーメンに挿入し、抜去してもロッド１から容易に離脱しないように適宜の接着剤で止着する。その他ＰＨ指示薬としては、ブロムチモールブルー、チモールブルー、チモールフタレイン、メチルレッド、クレゾールレッド、メチルオレンジ、ブロムクレゾールグリーン、フェノールフタレイン、アリザリンエローＲ、フェノールレッド、トロベオリン００、２，６−ジニトリルフェノール、メチルエロー、ブロモフェノールブルー、アリザリンレッドＳ等及びこれらの混合物が利用できる。
【実施例２】
【０００９】
図３は、ロッド１の保護管３の形状の一例を示す正面図である。前記のようにロッド１は、瘻孔に挿入する胃瘻カテーテル４のルーメンを経由して人体内に挿入するので、該ルーメンの先端から突出するまで体液に触れることは殆どない。しかし、該ルーメン内に体液が付着していたため、ロッド１を該ルーメンに挿入したとき、前記酸性反応部材２に前記体液が付着して留置位置の判断を誤らせることを予防することが考えられる。実施例２は、ロッド１を図３に示す可撓性のある例えば合成樹脂を用いて筒体に形成した保護管３に収容して胃瘻カテーテル４のルーメンの基端部から挿入し、該ルーメンの先端にロッド１が到達したとき施術者の操作により保護管３の先端からロッド１を突出できるように構成した。このようにすれば、酸性反応部材２は的確にＰＨを指示することを期待できる。
【産業上の利用可能性】
【００１０】
留置カテーテルのルーメンを経由して検知手段を人体に挿入し、検知対象の体液を微量採取する場合などにも、ルーメン内に検知対象外の体液が付着していることによる判断の誤りを防ぐためにロッドを保護管に収容する手段が適用できる。
【図面の簡単な説明】
【００１１】
【図１】実施例１の概要を示す正面図である。
【図２】胃瘻カテーテルが胃内に留置された状況を示す模型説明図である。
【図３】保護管の形状の一例を示す正面図である。
【符号の説明】
【００１２】
１    ロッド
２    酸性反応部材
３    保護管
４    胃瘻カテーテル
【図１】
2005034423.tif 000003
【図２】
2005034423.tif 000004
【図３】
2005034423.tif 000005
(57)【要約】【課題】  犬を静止させることなく、犬に首輪と引き綱とを片手のみでワンタッチで容易に連結できる犬用ワンタッチ連結具を提供する。【解決手段】  首輪（１）に連結リング（２）とおもり付きネーム札（３）を取り付ける。ワンタッチフック（４）を引き綱（８）の通常のフック（９）につなぎ込む。【選択図】  図１
2005034123.tif 000002
【特許請求の範囲】
【請求項１】
首輪（１）に連結リング（２）とおもり付きネーム札（３）を取り付け、ステイック（５）にバネ付きレバー（６）と連結用金具（７）を設けたワンタッチフック（４）で首輪（１）の連結リング（２）と引き綱（８）の通常のフック（９）につなぎ込み、犬を静止させなくても、犬の首輪と引き綱とを片手のみでワンタッチで結合させる連結具。
【発明の詳細な説明】
【発明の詳細な説明】
【技術分野】
【０００１】  本発明は、犬の首輪と引き綱との連結具に関するものである。
【背景技術】
【０００２】  従来の連結具は、犬の首輪と引き綱とを連結する場合、犬を静止させて片方の手で首輪に付いている金属リングを押さえ、他方の手で引き綱についている通常フックを持ち、それぞれを連結する。又、次ぎのような技術も知られている（例えば特許文献１参照）【０００３】
【特許文献１】    特許公開２００２−３００８２６号公報
【発明が解決しようとする課題】
【０００４】  これは次のような欠点があった。
（イ）  犬を静止状態にしないと連結できないこと。
（ロ）  必ず両手を用いること。
（ハ）  首輪側の金属リングと引き綱側の通常のフックは小さいため、冬場の手袋着用時等で指先動作が不器用になっている場合では容易に連結できない。
本発明は、これらの欠点を除くためになされたものであり、犬を静止させることなく、片手のみで首輪と引き綱とをワンタッチで連結し、更に手袋着用時等指先動作が不器用になっている場合でも容易に連結できる連結具を提供する。
【課題を解決するための手段】
【０００５】  上記目的を達成するため本発明は、首輪と引き綱とを容易に連結させるため首輪側に付ける連結リング（２）と引き綱側に付けるワンタッチフック（４）及び連結リング（２）を常に犬の首の上側の位置に保つためのおもり付きネーム札（３）の３点で構成する。
本発明は、以上のような構成よりなる犬のワンタッチ連結具である。
【発明を実施するための最良の形態】
【０００６】  以下、本発明の実施の形態について説明する。
図１は、首輪側に付ける連結リング（２）とおもり付きネーム札（３）及び引き綱側に付けるワンタッチフック（４）の実施例を示す。連結リング（２）とワンタッチフック（４）はワンタッチフック（４）の先端部分で連結リング（２）をワンタッチで結合する。連結リング（２）は、おもり付きネーム札（３）の重さの作用により常に犬の首の上側の位置に保たれる。
ワンタッチフック（４）はステイック（５）とバネ付きレバー（６）、及び連結用金具（７）よりなり、連結用金具（７）で引き綱（８）の通常のフック（９）に連結する。バネ付きレバー（６）は、連結リング（２）のワイヤーリング（１０）に加圧する事により、ワンタッチフック（４）と連結リング（２）とを連結することができる。
また、図３の連結リング（２）はワイヤーリング（１０）、ベース（１１）及び位置固定ネジ（１２）で構成し首輪に取り付ける。
【発明の効果】
首輪と引き綱とはワンタッチで連結できる構成となっていることから以下の効果が発揮できる。
犬を静止することなく容易に連結できる。そして、片手でも容易に連結できる。又、手袋着用時等指先の動作が不器用になっている場合でも容易に連結できる。
【図面の簡単な説明】
【図１】本発明の実施例を示す説明図である。
【図２】本発明のワンタッチフックの側面図である
【図３】本発明の連結リングの正面図である。
【図４】本発明の連結リングの側面図である。
【図５】本発明のおもり付きネーム札の斜視図である。
【符号の説明】
１    首輪
２    連結リング
３    おもり付きネーム札
４    ワンタッチフック
５    ステイック
６    バネ付きレバー
７    連結用金具
８    引き綱
９    通常のフック
１０    ワイヤーリング
１１    ベース
１２    位置固定ネジ
【図１】
2005034123.tif 000003
【図２】
2005034123.tif 000004
【図３】
2005034123.tif 000005
【図４】
2005034123.tif 000006
【図５】
2005034123.tif 000007
(57)【要約】【課題】  穀物及び種子の発芽を、温水の使い方を工夫することにより、従来の欠点を解決することができる発芽装置を提供する。【解決手段】  本体容器（１）に排水口（２）を設け、部分排水を行い、（１）の底部に排水及び循環用の配管（３）を設け、その配管の一部はポンプ（４）に繋がりパイプ（５）によりノズル（６）にて水を循環させると共に、他の１部は全体の排水をする又、（１）の底部にヒーターを設け温度保持をすることを特徴とする。【選択図】  図１
2005034126.tif 000002
【特許請求の範囲】
【請求項１】
穀物及び植物種子を、水又は温水を使用し、発芽中に水又は温水を設定量抜き取り、残った水又は温水を、循環及び滞留させることによる発芽装置
【請求項２】
穀物及び植物種子を発芽させる際、発芽に使用する水又は温水に栄養分の流出を抑える効果及び、使用水の汚れと悪臭を防ぎ空気にふれることにより、発芽時間の短縮と発芽率の向上並びに、製造コストを抑えることを目的とする発芽製造方法
【発明の詳細な説明】
【発明の詳細な説明】
【技術分野】
【０００１】本発明は、穀物及び植物種子の発芽を水又は温水の使用を抑えると共に、発芽水の汚れと悪臭を少なくし、発芽時間が短く発芽率の良く、製造コストの極めて低い発芽を可能にする、装置及び製造方法である。
【背景技術】
【０００２】  従来の発芽装置においては、発芽完了まで発芽物を容器内にて、温水もしくは水に浸けるか、漬けおき後水を抜きそのまま発芽させるか、一定の流れの温水もしくは水に漬けておくかであった。
【発明が解決しようとする課題】
【０００３】  従来の発芽装置においは次のような欠点があった。
（イ）    容器内においての漬けおきによる発芽は、発芽中の水が独特の臭いを発生させ発芽物にも臭いが残る。
（ロ）    臭い防止のため、加水又は入れ替えをすることによるコストが掛かる。
（ハ）    長時間漬けおきするため、栄養分が発芽中の水に流失してしまう。
（ニ）    発芽するまでの時間が長く発芽率が悪い。
（ホ）    温水水を抜いたまま発芽させると、温度管理が難しく臭いが出て味が悪い。
本発明は、これらの欠点を除くためになされたものである。
【問題を解決するための手段】
【０００４】  上記目的を達成するために、本発明の発芽装置においては発芽中の温水と発芽物の臭いの防止のため、発芽物に接しない位置まで水を抜くことにより臭いの発生が抑えられる。
残った温水をヒーター（８）により指定温度に保ち、発芽物の中を循環させることにより、発芽物の温度が保たれ発酵による臭いの発生を抑えることができ、これにより美味しい発芽物を作ることができる。
発芽終了まで温水に浸けおきしないため、空気に触れており、不足しがちなものを空気中より、補うことが出来るため、短時間で発芽率の良い発芽ができ、なお発芽中の栄養分の流出も極めて少なくできる。
本発芽機は発芽終了までの使用する水は、最初に本体容器に入れた水だけでよく、発芽中に新たな水を加水しないため、それらに掛かる水及び熱並びに排水等が少なく、生産コストは極めて低く抑えることができる。
【発明を実施するための最良の形態】
【０００５】以下、本発明の実施の形態について説明する。
（イ）    本体容器（１）の底部より上方に間隔をあけ排水口（２）を設ける。
（ロ）    本体容器（１）の底部に配水管（３）を設けると共に、この管にポンプ（４）を取り付けポンプより循環パイプ（５）をノズル（６）に配管する。
（ハ）    本体容器（１）の内側底部より上方に間隔をあけた所に仕切（７）を設ける。
（ニ）    本体容器（１）の底部にヒーター（８）を設ける。
本発明は以上の様な構造で、これを使用するときは、本体容器（１）に発芽させる物を入れこれが露出しないところまで水を入れる。
ヒーター（８）を作動させ入れた水を設定温度まで加温した後、指定時間経過後、排水口（２）より必要量を残し排水する。
排水後、発芽までの必要時間、残り水の設定温度を保ちながら、上部の乾燥防止と発芽物の温度保持のため必要時間ポンプ（４）によりノズル（６）より水を出し循環させ、発芽終了後は排水管（３）より容器の水全部を排水する。
なお排水口（２）と配水管（３）は同一にして設けることも可能で、又循環させる水も、外部より新たなものを入れ使用してもよい。
【発明の効果】
【０００６】  発芽時間が短く、悪臭の少ない又、発芽率が良い発芽を、極めて低い生産コストで作ることができる。
【図面の簡単な説明】
【図１】  本発明の断面図である。
【図２】  本発明の他の実施例を示す断面図である。
【図１】
2005034126.tif 000003
【図２】
2005034126.tif 000004
(57)【要約】      （修正有）【課題】溝付釣り竿に関するもので、殊に船上での釣りを簡単且つ迅速に然も労を要せず海釣りが楽しめること。【解決手段】魚釣り竿の表面に釣糸を通過させる溝１を設け、釣り糸を這わす溝の両端には釣り糸の出入口２を設け、更に、溝内の釣り糸が脱け出さないよう留め具３を具備し、構成したものである。【選択図】図１
2005034125.tif 000002
【特許請求の範囲】
【請求項１】
魚釣り竿の表面に釣り糸を通過させる溝を設けるを特徴とする溝付釣り竿である。
【発明の詳細な説明】
【発明の詳細な説明】
【産業上の利用分野】
【０００１】  この発明は、殊に海釣り用両軸リールをもちいる釣り竿に関する。
【背景技術】
【０００２】  従来、魚釣り竿には、釣り糸を通す多数のガイドリングという金具に釣り糸を通す動作が不可欠である。
【発明が解決しようとする課題】
【０００３】  ところが、前記した糸を通す動作に於いて、多数のガイドリングに糸を通すという面倒さがある為、釣りをする者達の間から簡単に釣りを楽しめる竿の出現が強く要望されていたが、現在そのような釣竿は存在しない。
【０００４】  このような身体の動作は、海上では転落事故にもつながるという問題点も多数ある。
【課題を解決するための手段】
【０００５】  上記の課題を解決するための、この発明の手段を説明すると、この発明にかかる溝付釣り竿は、釣り竿の表面に溝を設け釣り糸を溝に這わすと共に溝の両端に釣り糸の脱出を防止する出入口を設け、ガイドリングを極端に少なく構成したものである。
【作用】
【０００６】  上記構成の溝付釣り竿の使用に際しては、釣り糸を溝に這わして多数のガイドリングに釣り糸を通す手間を無くし、事故防止を発揮する。
【実施例】
【０００７】  図１はこの発明の一実施例にかかる溝付釣り竿の斜視図、図２は図１の縦断面図である。【０００８】  本発明の溝付釣り竿は、釣り糸を、通過させる溝１に這わし、釣り竿の溝の両端に釣り糸の脱出を防止する出入口２を設けると共に、取り外しの可能な留め具３を装備したものである。
【考案の効果】
【０００９】  この発明は上記の如く、釣り糸を多数のガイドに通さず、溝に糸を這わし溝から糸の脱出を防止する留め具を取り付けると共に、釣り糸の先端部に付いた釣り用の錘の重さの張力により、釣り糸が脱出するのを防ぐ効果が働く。船上での転落事故を防ぎ、また、視力の低下した者に釣りを楽しめる等、構成簡単にして発明目的を達成した実用上の効果を奏する。
【図面の簡単な説明】
【００１０】
【図１】図１はこの発明の実施例にかかる溝付釣り竿の斜視図である。
【図２】図２は図１の縦断面図である。
【符号の説明】
１．釣り糸が通過する溝  ２．溝の両端に釣り糸が通過する出入口  ３．釣り糸の脱出を阻止する留め具
【図１】
2005034125.tif 000003
【図２】
2005034125.tif 000004
(57)【要約】【目的】魚類飼育水の濾過装置において、飼育水の濾材内の流れに偏在がなく、飼育水の濾材内の滞留時間をより長くでき、濾過効率の良い、高度な濾過処理の可能な魚類飼育水の循環ろ過装置を提供する。【構成】パイプの一端に飼育水くみ上げポンプ（１）を設け、このパイプに飼育水流入口（２）と濾過槽部（３）を接続、濾過槽部（３）の内部上端と下端に網状の濾材支持板（８）を設け、濾材（９）を充填する。各濾過槽部（３）は、下方の沈殿槽部（４）と上方の濾過槽連結部（９）を介してコイル状に接続されるように構成する。濾過槽部（３）最後部の一端に処理済水流出口（７）を設ける。各沈殿槽の一端に汚泥排出口（５）と汚泥排出バルブ（６）を設けた魚類飼育水の循環濾過装置。【選択図】        図１
2005034124.tif 000002
【特許請求の範囲】
【請求項１】
パイプの一端に飼育水くみ上げポンプ（１）を設け、飼育水流入口（２）と濾過槽部（３）を接続する。濾過槽部（３）内部には、上端と下端に網状の濾材支持板（８）を設け、この上端と下端の濾材支持板（８）の間に濾材（９）を充填し濾過槽を構成する。各濾過槽部（３）は下方の沈殿槽部（４）と上方の濾過槽連結部（１２）をかいしてコイル状に接続される。濾過槽部の他方の一端に処理済水流出口（７）を設け、各沈殿槽の一端に汚泥排出口（５）と汚泥排出バルブ（６）をそれぞれに設けた魚類飼育水の循環濾過装置。
【請求項２】
汚泥排出口（５）と汚泥排出バルブ（６）を取り付けない「請求項１」の魚類飼育水の循環濾過装置。
【請求項３】
「請求項１」と「請求項２」の魚類飼育水の循環濾過装置の処理済水流出口（７）にエアーレーション装置を接続した魚類飼育水の循環濾過装置。
【発明の詳細な説明】
【発明の詳細な説明】
【産業上の利用分野】
【０００１】本発明は、パイプの一端に飼育水くみ上げポンプと飼育水流入口を設け、濾過槽部に接続、濾過槽部の内部上端と下端に濾材支持板を設け、この上端と下端の濾材支持板の間に濾材を充填、これらのパイプを下方の沈殿槽部と上方の濾過槽連結部を介してコイル状に接続し、これらの濾過槽部の最後部の一端に処理済み水流出口を設ける。飼育水流入口から飼育水くみ上げポンプにより、濾過槽部内の濾材に飼育水を通過させ、効率的な濾過と高度な処理済み水を得ることを可能にした魚類飼育水の循環濾過装置に関するものである。
【背景技術】
【０００２】従来は、箱状で深さのない濾過槽に濾材が充填されていた。このため、飼育水が濾材を通過する距離が短く、濾材の中での飼育水の滞留時間も比例して短かった。また、濾過槽の濾過断面積が広いために飼育水が一方に偏って流れ、濾材の内部に飼育水が流れない所ができるなど濾材の有効な利用ができず、濾材の量に見合う充分な濾過能力を発揮させることができなかった。
【発明が解決しようとする課題】
【０００３】このため、本発明の魚類飼育水の循環濾過装置は濾過槽の濾過断面積を最適に構成し、飼育水が濾過槽内で偏った流れの起こらないようにするとともに、濾過槽部を必要に応じて増設することで濾過距離を拡大し、飼育水の濾過槽内での滞留時間を長くし、濾過効率の良い、高度な濾過処理水を得られる魚類飼育水の循環濾過装置を提供することを目的としている。
【課題を解決するための手段】
【０００４】上記目的を達成するために、本発明の魚類飼育水の循環濾過装置においては、パイプの一端に飼育水流入口と飼育水くみ上げポンプを設け、濾過槽部内部の上端と下端に濾材支持板を設ける。この上端と下端の濾材支持板の間に濾材を充填し、これらのパイプの下方に沈殿槽部、上方に濾過槽連結部を設け、これらをコイル状に接続する。各沈殿槽の一端には、汚泥排出口と汚泥排出バルブを設け、必要に応じて汚泥の排出をする。濾過槽部の本数や長さは、必要に応じて増減し、濾過槽部の最後部の一端に処理済水流出口を設ける。飼育水流入口に飼育水くみ上げポンプで飼育水を送りこみ、濾過槽部の濾材で生物膜濾過法による濾過を行う。汚泥の排出口と汚泥排出バルブは、水流が早いときは、汚泥がたまりにくいので設けなくともよいものとする。また、処理済み水の流出口にエアーレーション装置を接続することで、溶存酸素量の多い処理済み水を得ることも可能にする。
【作用】
【０００５】上記目的を達成するために、本発明の循環濾過装置は、濾材の濾過断面積を飼育水の流入量に応じて決定することで、濾過槽部の濾材に均一に飼育水を通過させ濾過効率を向上させるにように働く。また、濾過槽部を増やせば、飼育水の濾材内での滞留時間を長くすることができるので、高度な濾過が可能になる。
【実施例】
【０００６】実施例について、図面を参考に説明すると、図１において、ハイプの一端に飼育水くみ上げポンプ（１）と飼育水の流入口（２）を設け、濾過槽部（３）の内部上端と下端に網状の濾材支持板（８）を取り付ける。この上端と下端の濾材支持板（８）の間に濾材（９）を充填する。これらの濾過槽部（３）を下方の沈殿槽部（４．）と上方の濾過槽連結部（１０）を介して接続しコイル状に構成する。各沈殿槽部（４）の一端にそれぞれ汚泥排出口（５）と汚泥排出バルブ（６）を設ける。濾過槽部最後部の一端には処理済水流出口（７）を接続する。濾過槽部（４）の増設によって、さらに高度な濾過処理水をえられるように働く。
【発明の効果】
【０００７】本発明は、以上のように構成されているので、いかに記載されるような効果を奏する。濾過槽部が沈殿槽部と濾過槽連結部を介してコイル状に構成されているので、濾過槽の長さや本数を増減することにより、目的に応じた処理水を得られる。また、流入水量に応じて濾過槽の濾過断面積を適当な広さに構成できるため、飼育水の流れが濾過槽の濾材全体に均一に流れるようにできる。以上のことから、本発明の魚類飼育水の循環濾過槽は、濾材の効率的な利用と高度な魚類飼育水の濾過処理を可能にした。
【図面の簡単な説明】
【図１】魚類飼育水の循環濾過装置の斜視図
【図２】魚類飼育水の循環濾過装置の部分断面図
【符号の説明】
１  飼育水くみ上げポンプ２  飼育水流入口３  濾過槽部４  沈殿槽部５  汚泥排出口６  汚泥排出バルブ７  処理済水流出口８  濾材支持板９  濾材１０濾過槽連結部
【図１】
2005034124.tif 000003
【図２】
2005034124.tif 000004
(57)【要約】      （修正有）【課題】植物の成長、発育、肥大が良好とし、その生産物の品質が向上させると共に、生産物の増産をめざす。又、植物、動物のストレスも解消され病気なども発生しにくくする。【解決手段】農業用ビニール、ポリ、ガラス、又畜舎等の屋根、側面内側に二酸化チタンセラミックス粉末を散布、塗布、噴霧する事により、その光触媒で紫外線をカットする。【選択図】なし【特許請求の範囲】
【請求項１】
二酸化チタン、セラミックス、ゼオライトを混合する事により、その相乗効果が認められ、更に有機酸、無機酸を混合して４００度〜８００度に過熱粉砕した二酸化チタン、及びセラミックス、ゼオライトを混合して製造使用する。農業用ビニール、ポリ、ガラスハウスの屋根、側面、又は畜舎の屋根、側面、内側に二酸化チタン、及びセラミックス、ゼオライトを混合した粉末を散布したり噴霧したりして接着させる方法
【発明の詳細な説明】
【発明の詳細な説明】
［産業上の利用分野］  農業用ビニール、ポリ、ガラス、ハウス、又は畜舎の屋根及び、側面、内側に、二酸化チタン及び、セラミックス粉末を散布、又塗りつけて接着する事でハウス内、畜舎の温度が５度〜７度下がり、その光触媒にて抗菌、殺菌、防虫効果があり紫外線をカットするために植物の成長が良く優れた品質の野菜、果実が生産され約３０％位の増産が可能である。又畜舎には内側の全てにも散布、接着する事によりその光触媒で脱臭、抗菌、有害物質の分解をする。又、植物、畜舎内の動物のストレスも解消される  ［従来の技術］  現在迄は、カルシウ厶製品を使用していた［発明が解決しようとする課題］  農業用ビニール、ポリ、ガラスハウス、又は畜舎の屋根、側面及び内側に二酸化チタン、セラミックスを使用することで、そのハウス内又は、屋内の温度を５度〜７度下げ紫外線がカットされるため殺菌、脱臭、抗菌、防虫効果が高まり光合成作用も増大し植物の生育、活力も旺盛に成品質の優れた生産物が約３０％位増産される［課題を解決するための手段］  本発明の二酸化チタン、セラミックス粉末を農業用ビニール、ポリ、ガラスハウス、又は畜舎の屋根、側面、内側に散布、塗る事にその光触媒で紫外線がカットされハウス内、畜舎内の温度が５度〜７度下がり、殺菌、抗菌、防虫、脱臭作用がある。従って光合成も高まり生産物の生育、又活力等が旺盛になり増産され品質も優れ、又作業者も適温をなるため楽である。又家畜のストレスも適温となるため解消される［作用］  農業用ビニール、ポリ、ガラス、又畜舎の屋根、側面、内側に二酸化チタン、セラミックスの粉末を散布、接着させる事によって倍の紫外線がカットされ殺菌、抗菌、防虫、脱臭効果があり、生産物の生育、又は活力が旺盛になり優れた品質の製品が約３０％位増産される、従って植物、動物のストレスも解消され病気にかかりにくくなる［実施例］    配合表  二酸化チタン及びセラミックス粉末          ５Ｋ  接着剤                                    １Ｌ  水                                    １００Ｌ使用方法  １０ａ当たり１００Ｌをハウスの屋根、側面、畜舎の屋根、内側、側面に散布又は、塗りつける［発明の効果］  紫外線吸収、温度の安定化、殺菌、抗菌、防虫、脱臭、又は動植物のストレス解消、光合成の促進作用、植物の成長、発育、肥大、着色の促進作用もある
(57)【要約】【課題】従来の生物の個体特定と識別は、外見の情報によっていた。そして、その情報もとに管理していた。外見情報は錯誤をおこしやすく、またそれを基にした管理は正確度に問題が種々起きた。特に同種生物の外見上の個体の特定と識別は非常に困難であり錯誤が多発した。そこで、この発明は個体の特定と識別の正確性を高め、その生物個体の情報を一元化することで生物個体管理を容易にすることを課題とする【解決手段】本発明は、生物の個体識別情報をその生物固有のものであるＤＮＡにおいて得ること、また一方その生物個体にマイクロチップ等電子回路をその生体内またはその生体外に付着させ、対象生物を特定する。よってそのＤＮＡ情報と生物個体を特定することによりコンピューター等でその生物情報を一元管理する、生物のマイクロチップ等はスキャナーまたはゲート式スキャナー等で読み出す。以上のシステムにより個体の特定と識別の精度を上げ、その情報をホストコンピューター等で一元管理し、あわせて、生物の管理を連続的に記録可能とするビジネス方法。【選択図】図１
2005034113.tif 000002
【特許請求の範囲】
【請求項１】
生物個体識別にＤＮＡ解析による個体情報と、マイクロチップ等の電子回路装置を個体に装着し個体を特定する方法を組み合わせること。
【請求項２】
請求項１のビジネスモデルを用いた生物個体管理システム。
【請求項３】
請求項１、請求項２のシステムを利用した動植物から作られる製品の管理システム。
【発明の詳細な説明】
【技術分野】
【０００１】この発明は、生物の個体特定と識別と管理に関する。
【背景技術】
【０００２】従来の生物の個体特定と識別は、外見の情報によっていた。そして、その情報を基に管理していた。外見情報は錯誤をおこしやすく、またそれを基にした管理は正確度に問題が種々起きた。
【発明の開示】
【発明が解決しようとする課題】
【０００３】しかしながら、以上の従来技術によれば、同種生物の外見上の個体の特定と識別は非常に困難であり錯誤が多発した。
そこで、この発明は個体の特定と識別の正確性を高め、その生物個体の情報を一元化することで生物個体管理を容易にすることを課題とする。
【課題を解決するための手段】
【０００４】本発明は、生物の個体識別情報をその生物固有のものであるＤＮＡにおいて得ること、また一方その生物個体にマイクロチップ等をその生体内、またはその生体外に付着させ、対象生物を特定する。よってそのＤＮＡ情報と生物個体を特定することによりコンピューター等で情報を一元管理する。生物のマイクロチップ等はスキャナー等で読み出す。以上のシステムにより生物個体の識別を精度を上げ、その情報をコンピューター等で一元管理し、あわせて、生物個体の管理を連続的に記録可能とするビジネス方法。
【発明の効果】
【０００５】ＤＮＡ情報による生物の特定はその細胞において特定できるので正確である。その生物に装着したマイクロチップ等と組み合わせれば、生物の外見がいかように変化しても特定確認が可能となる。個体識別が確実にできる。また、動植物の製品、ハムやバナナ加工品等にこのシステムを利用すればその履歴が細胞段階で確認可能となるため食の安全確認等に利用する。
【発明を実施するための最良の形態】
【０００６】この発明の一実施形態を、図１に示す。
生物例の犬１は生後まもなく、情報保持機能つきマイクロチップ等３を体内または体外に装着する。この情報はホストコンピューター２に記録する。
図２は時間が経過したあと、生物例の犬１を特定し再度その個体の情報をスキャナー等の読み込み書き込み装置４で読み出し、そして新情報をホストコンピューター２書き込むことの説明図である。装置４と２は一体型でも良い。また、装置４のスキャナーはゲート式にすることもある。
【実施例】
【０００７】畜産動物の個体識別管理に使う。【０００８】犬の個体識別管理に使う。【０００９】植物の個体識別管理に使う。
【産業上の利用可能性】
【００１０】細胞段階で個体識別管理が可能となり、畜産・牛・豚・鶏等で利用すれば、生まれた場所、飼い主、飼育情報等の経歴を管理することができ、生物の戸籍管理が容易になり、飼育においては、スキャナーは非接触型であるのでゲートに組み込めば放牧時の個体管理が容易である。また薬剤投与の履歴、飼料の履歴が個体ごと遡及可能になる。また畜産製品も細胞段階で個体が識別できるので、製品からの遡及が容易になり食の安全に貢献できる。
また、愛玩動物に利用すれば、戸籍管理はもとより、飼い主の特定が可能となるため、捨て犬、捨て猫等の問題の一つの解決手段となる。
【図面の簡単な説明】
【００１１】
【図１】ＤＮＡ解析による生物個体の特定とマイクロチップ等の装着法
【図２】時間経過後の生物個体識別と情報管理法
【符号の説明】
【００１２】１  生物例の犬
２  情報一元管理のホストコンピューター
３  マイクロチップ等電子回路
４  読み取り及び書き込みスキャナー
【図１】
2005034113.tif 000003
【図２】
2005034113.tif 000004
(57)【要約】【課題】茸の菌床栽培は、原木、オカ屑、厩肥、稲ワラ等を利用し菌床（培地）を作り、茸菌を接種し栽培しているが、とくにマッシュルーム栽培等においては菌床作りに多大な期間、資材、労力を費やしているためこれらを削減する。【解決手段】  発明技術は、食品残渣等廃棄物のコンポスト化した製品を、茸の菌床（培地）として利用する技術により、茸の菌床栽培における期間の短縮、資材、労力、コスト等の削減がはかれると共に環境保全と循環型社会形成に寄与する技術と方法による解決手段である。【選択図】図２
2005034117.tif 000002
【特許請求の範囲】
【請求項１】
食品残渣廃棄物等から、リサイクルされたコンポスト製品（堆肥）を利用した茸の菌床栽培への利用技術と方法。
【請求項２】
食品残渣廃棄物等により、コンポスト化された製品を茸（マッシュルーム等）の菌床（培地）として使用する特徴の請求項１記載のリサイクル技術と製品の利用方法。
【請求項３】
コンポストの製品は、原木栽培を除きすべての菌床栽培に応用できると共に、他の菌床（培地）用資材と配合しても使用できる方法。
また、農家等のビニールハウス等においても、簡単に季節栽培が出来るようになり、収穫後においては畑作等における即効性有機肥料として使用できるため、複合的な利用価値の方法。
【発明の詳細な説明】
【発明の詳細な説明】
【技術分野】
【０００１】  食品残渣廃棄物のコンポスト利用技術
【背景技術】
【０００２】  茸の菌床栽培は、図１に示すように、オカ屑、厩肥、稲藁、麦藁、サトウキビ絞粕等を利用し、菌床を作り、茸菌を接種し栽培しているが、特にマッシュルーム、フクロタケ、ヒメマツタケ等においては、これらの資材をコンポスト化し菌床とし栽培しているため、多大な期間、資材、労力を費やしている。
【発明が解決しようとしている課題】
【０００３】  しかしながら、以上の従来技術によれば、原料の確保の問題特にオカ屑等においては、森林伐採等による地球資源の消費、また、稲藁等においてはコンバイン等機械化処理による不足、厩肥等についてはバイマス技術による熱エネルギー回収利用等による不足があげられる。
また、これらの資材を用い菌床製造するには、施設の建設、労力等が多大にかかっている。
当技術はこれらを踏まえ地球環境の保全、栽培期間の短縮、菌床製造のコスト、労力の削減等を課題とする。
【課題を解決するための手段】
【０００４】  以上の課題を解決するために、図２に示すように、請求項１の発明は、食品残渣等廃棄物でリサイクルされたコンポストを利用した茸の菌床栽培である。
また、請求項２及び請求項３の発明は、食品残渣等廃棄物のコンポスト製品を茸栽培用菌床として使用すること、有機肥料としての連鎖的利用を特徴とする発明である。
【発明の実施形態】
【０００５】  食品残渣等廃棄物に、酸化カルシウムを通常重量比で１〜５％を混合攪拌し、コンポストを製造する。
コンポスト製造にあたっては、培地の殺菌等を考えた場合機械システムにより一元管理された、コンポスト製造システムが最も良い。
【０００６】  茸栽培用菌床に適するコンポストは、コンポスト製造過程において醗酵（呼吸）に関する温度が７０〜７５℃で１０日以上保たれ、満遍なく攪拌され腐熟された物が望ましい。
【０００７】  コンポスト完成後の製品の細菌数は、大腸菌を目安とすれば、３７℃で１０４以下になっていることが望ましい。
また、有害重金属等を含んでいないこと。
【０００８】  コンポスト製品は、良く腐熟された物であればそのままでもよいが栽培過程において、殺菌工程を踏めばなおさら良い。
【０００９】  コンポストの原料となる廃棄物は、食品廃棄物で厨芥類、野菜残渣、食品残渣等で、これに公園、空港緑地帯の刈草、剪定樹木等を用いるとなおさら良い。
【００１０】  コンポスト製品の形状は、コンポスト化終了時のそのままでもよいが、粒状（ペレット）のものが取扱いも良く、衛生面において優れている。
【００１１】  コンポスト製品は、含水率が２０％を切っているため、菌接種前に菌床の適当な含水率に調整する。
「実施形態の効果」
【００１２】  この実施形態によれば、食品残渣廃棄物コンポストが茸の菌床として利用ができた。
「他の実施形態」
【００１３】  他の実施形態では、他の菌床用資材と配合しても使用できる。
【発明の効果】
【００１４】  食品残渣廃棄物のコンポストを茸の菌床栽培に利用することにより、茸栽培の期間の短縮、資材の無限化、労力、コスト等の削減がはかれた。
また、コンポスト製品のため、輸送の簡便さにより誰でも何処でも茸の菌床栽培が可能となった。
また、環境面においても、原木、オカ屑生産のための森林伐採等も削減されると共に食品残渣廃棄物利用のため資材の無限化により、地球資源の延命と環境保全につながり茸栽培収穫後の菌床は、即効性の有機肥料として使用できるため、安全な茸、野菜等の供給につながり循環型社会形成に寄与できる。
【図面の簡単な説明】
【図１】従来技術による菌床栽培工程図である。
【図２】この発明技術による菌床栽培工程図である。
【図１】
2005034117.tif 000003
【図２】
2005034117.tif 000004
(57)【要約】      （修正有）【課題】近年の植栽用土に求められる軽質化及び経年安定性に優れ且つ、保水性及び透水性を選択できる人工砂礫を提供すること。【解決手段】乾燥したポリエチレン又は及びポリプロピレン等の高分子からなるプラスチックと乾燥した無機質成分として自然の砂等の粒を混合し、プラスチックが分解しない条件の中でプラスチックを溶融し、均等に分散させた砂粒の表面の一部、又は全部を溶融したプラスチックで被覆する。この溶融混合物を、例えば押し出し機能を持つ設備によって、例えば冷却設備の中に押し出して固化する。その後マルチング用の塊状や、砂の粒度に合わせるための、例えば破砕、粒調設備を経て製品の形状に仕上げる。【選択図】なし【特許請求の範囲】
【請求項１】
自然の砂等の鉱物質の粒の表面の一部又は全部をポリエチレン又は及びポリプロピレン等の高分子であるプラスチックの溶融物で被覆したもので構成される人工砂である。
【請求項２】
ポリエチレン又は及びポリプロピレン等の高分子であるプラスチックを溶融状態で自然の砂礫等の鉱物質と混練して製する塊状物であって、プラスチック成分が鉱物質を被覆していることを特徴とする人工砂礫である。
【発明の詳細な説明】
【発明の詳細な説明】
［発明の属する技術分野］
【０００１】熱可塑性の高分子がらなるプラスチックを溶融状態において自然の砂礫等の鉱物質と混練し得られる粒子状又は塊状の固体であって表面をプラスチックによって被覆することで、改質した砂礫である。［従来の技術］
【０００２】人工的に作られる砂礫は、セメント等の石灰系の鉱物質と鉱物質の汚泥を混合固化した後、砂礫状に破砕処理し得られたもの、あるいは泥状物を脱水乾燥後高温で焼成又は燒結する方法でえられる鉱物質から製せられるものなど、あるいは多孔質の砂礫を得るために素材を火山性のシラスを主体とするするものにソーダ灰などの低温で溶融する成分を混合して焼成し無機性の多孔質塊状物から製されるものなどがある。［発明が解決しょうとする課題］
【０００３】従来の技術による人工砂礫では、素材の成分に基づく性質が発現するので園芸用土、屋上緑化用土、マルチング資材としての適用に制約があった。自然の砂礫を核としてその表面の一部又は全部をプラスチックで被覆することによって、砂礫のもつ性質を調整することができる。更には、目的に適した性質の砂礫を選ぶことによって、透水性や保水性更には砂礫の比重などを調整し、用途に適した人工砂礫を製することができる。［課題を解決するための手段］
【０００４】乾燥したポリエチレン又は及びポリプロピレン等の高分子からなるプラスチックと乾燥した無機質成分として自然の砂粒等を混合し、プラスチックが分解しない条件の中でプラスチックを溶融し混合している砂粒を均等に分散させる。溶融混合物を押し出し機能を持つ設備によって、冷却設備の中に押し出し、塊状のマルチング用や砂の用途に適した粒度に調整する設備を経て製品の形状に仕上げる。［発明の実施の形態］
【０００５】以上にのべた発明の実施の形態について説明する。発明の人工砂礫の核として使用する自然砂等の粒子は、プラスチック溶融物との混練において水蒸気を発生しないように十分に乾燥していることが必要である。自然砂等の粒子は摩耗損失の少ない建設骨材に相当する品質であり微粒子の少ない細粒である。プラスチック溶融物が砂粒の表面を被覆し安定な形状を保持する粒子の大きさは人工砂の製造にとって主要な条件の一つである。砂粒子の表面を被覆するためのプラスチック成分は容易に溶融できる素材が好ましく例えばポリエチレン又は及びポリプロピレンなどの高分子が適している。砂粒子を均一に混合したプラスチック溶融物を得るためには、プラスチックが溶融する以前に砂粒子と均一に混合していることが好ましく、溶融したプラスチックに砂粒子を均一に混練することは困難である。
【０００６】砂粒子と混練するプラスチック原料は砂粒子への被覆を完成するためには水分のない乾燥したものである。そしてその大きさが１５０ｍｍ以下、好ましくは５０ｍｍから２０ｍｍに整えられたフィルム状のものが適している。粒子状の例えばペレットをプラスチックの原料とする場合は砂粒子との均一な混合が難しくなる。人工砂礫の核となる自然砂等の粒は細粒が好ましく、その大きさは５ｍｍ以下であり、微粉を除いた０．２ｍｍから３ｍｍの範囲の粒度のものが適している。
【０００７】砂粒子の表面の一部、又は全部をプラスチックで被覆する場合は砂粒の量に対しプラスチックを重量比で０．２から１．０の混合が好ましい。プラスチックは溶融、混練の過程で熱分解のない方法であること。熱分解の発生はプラスチックの被覆効果を逸失し、発明の人工砂礫を製することはない。［発明の効果］
【０００８】園芸用の軽量植土や屋上緑化に適する軽質で経年変化の少ない形状の安定性を求められる砂及びマルチング材であって、材料の土質を植栽に適した品質に調整された人工砂礫を提供できる。更には被覆材であるプラスチックや鉱物質の核をイオン交換等の機能を有する成分とすることで土壌改質材としての土壌資源を提供できること。更にはプラスチック成分を調製することでバイオレメディエーションの資源を固定した機能材として提供できること。等、本発明に基づく人工砂礫の提供が生活環境の創成に資する効果は大きい。
(57)【要約】      （修正有）【課題】芝生と花壇等の境界にブロック等で仕切りはするが、芝刈り機での手入れの際に境界線の３ｃｍ位は刈れず、カマやハサミでも綺麗にカットできない課題を解決する。【解決手段】芝刈り機の車輪とカッターとの間隔の３ｃｍに芝生管理プレートを用いる。【選択図】図３
2005034118.tif 000002
【特許請求の範囲】
【請求項１】
形状  地上面と地下面を同じ長さにすることで【図４】のエルボが１種類で良い。全体の最長を１００ｃｍにすることで乗用車でも運搬できる。
家庭用芝刈り機の車輪とカッターの間隔を（Ｃ）の通り３ｃｍとすることで境界線近くの芝も綺麗に刈れる。
【図２】の通りＡ側を凹にすることで延長が簡単にできる。
地上面と地下面を同じ１２ｃｍにすることで芝生の繁殖力を根からも茎からもコントロールすることができる。
材質  プラスチック系にすることで加工もコストも耐久性もメリットがある。
【請求項２】
エルボ【図４】のエルボを別途作成する。
直線のみの芝生管理プレートでは右折。左折ができないので左右どちらも利用できるようにする。
【発明の詳細な説明】
【技術分野】
【０００１】本発明は芝生を綺麗に管理．育成するための部材に関する。
【背景技術】
【０００２】新興住宅が多くなり庭に芝生を植える家庭が多くなった。ビル屋上の緑化対策にも同様であり芝生管理が課題。
【発明の開示】
【発明が解決しようとする課題】
【０００３】芝生と花壇等の境界にブロック等で仕切りはするが芝刈り機での手入れの際．境界線の３ｃｍ位は刈れないカマやハサミでカットするが綺麗にカットできない。
【課題を解決するための手段】
【０００４】芝刈り機の車輪とカッターとの間隔の３ｃｍをこの芝生管理プレートで解決する。
【発明の効果】
【０００５】お年寄りや主婦でも芝生管理が容易になる。
【発明を実施する為の最良の形態】
【０００６】ホームセンターで販売し誰もが簡単に入手できる。
【実施例】
【０００７】個人がプラスチックでの作成が困難なので自宅で板で作成し、実際に使用しているが非常に管理しやすく便利である。
【産業上の利用可能性】
【０００８】ホームセンターで販売する。
ビル屋上の緑化設備にも利用できる。
【図面の簡単な説明】
【０００９】材質はプラスチック系板の厚さは２ｍｍ程度。
【図１】
2005034118.tif 000003
【図２】
2005034118.tif 000004
【図３】
2005034118.tif 000005
【図４】
2005034118.tif 000006
2005034118.tif 000007
【手続補正書】
【提出日】平成15年10月4日(2003.10.4)
【手続補正１】
【補正対象書類名】明細書
【補正対象項目名】０００９
【補正方法】変更
【補正の内容】
【０００９】
【図１】          正面図
【図２】          延長時における接続方法図
【図３】          施工図
【図４】          直角に屈折する際の別売り部品（通称エルボ）
(57)【要約】【課題】テグスのように表面が滑り易く且つ硬い対象物を切断し易くした鋏を提供する。【解決手段】例えばＵ状に樹脂で形成した本体部１の先部内方に刃体２を装着した和鋏（その他の洋鋏にも適用できる）において、対向する刃部２１の双方を凹状湾曲刃に形成すると共に、前記凹状湾曲刃の湾曲程度が、刃部２１の開閉操作に際して回動中心側のＵ状基部１２から順次当接して刃先側部位が刃基側部位に先んじて当接しないようにして、対象物に対して刃部が平行せん断に近い動作となり、しかも通常の鋏と同様の刃部の捩れ効果も発揮される。【選択図】    図1
2005034382.tif 000002
【特許請求の範囲】
【請求項１】
対向する刃部の双方が凹状湾曲刃に形成されていると共に、前記湾曲が、前記刃部の開閉操作に際して回動中心側の刃基部から順次当接して、刃先側部位が刃基側部位に先んじて当接しない形状としてなることを特徴とする鋏。
【請求項２】
Ｕ状に樹脂で形成した本体の先部内方に刃体を装着した和鋏とした請求項１記載の鋏。
【発明の詳細な説明】
【技術分野】
【０００１】
本発明は、種々の使用目的に対応した鋏全般に適用できるものであるが、特に釣り糸のような表面が滑らかで且つ相応の強度を備えているものを切断するのに適した鋏に関するものである。
【背景技術】
【０００２】
一般的な鋏において、和鋏も洋鋏もその刃部が直線的に形成されている。特に刃部を湾曲させている鋏としては、板金用の鋏（特許文献1）や、植木鋏（特許文献２）が知られており、それらの鋏は、一方の刃部が凹状湾曲刃で、対向する他方の刃部が膨出湾曲刃となっている。また対向刃部が凹状湾曲刃としてなる葉巻切断用鋏も知られている（特許文献３）。
【０００３】
【特許文献１】実公平３―４４４１７号公報。
【特許文献２】特開昭６２―７４３９１号公報。
【特許文献３】特開平１１―１８７４５号公報。
【発明の開示】
【発明が解決しようとする課題】
【０００４】
例えば釣り糸（テグス）のような、細いが強靭で且つ表面が滑らかな対象物を鋏で切断する場合、対象物が刃先側に滑ってしまい良く切れ無い場合がある。そこで前記した特許文献１，２記載のような湾曲刃を採用したとしても、対象物に対する刃部のせん断方向が変わらないので、切断時に対象物を押し出す作用は同じである。
【０００５】
対象物に対して対向する刃部が１８０度の方向からせん断すると、対象物の逃げが生じないが、刃体の動作を回動動作とせずに平行移動動作とさせるには、構造が煩雑となってしまう。
【０００６】
また対象物を対向する刃部間から逃げないように、特許文献３のように単に刃部に凹状湾曲刃を採用したとしても、切断操作時に刃基部側（枢結軸に近い方）より先に刃先部側（枢決軸より遠い方）が当接してしまうと、刃部の捩れ効果（刃部の捩れによって切断動作時に対向刃部にせん断面に直交する方向の力が作用して、せん断機能を高める）が発揮されず、切れ味が悪くなる。
【０００７】
そこで本発明は、より平行移動動作に近い鋏であって、刃の捩れ効果を損なわない新規な刃部を備えた鋏を提案したものである。
【課題を解決するための手段】
【０００８】
本発明に係る鋏は、対向する刃部の双方が凹状湾曲刃に形成されていると共に、前記湾曲が、前記刃部の開閉操作に際して回動中心側の刃基部から順次当接して、刃先側部位が刃基側部位に先んじて当接しない形状としてなることを特徴とするものである。
【発明の効果】
【０００９】
従って対象物の切断に対して、対向刃部はより平行移動に近い動作となり、しかも刃部の捩れ効果も発揮されるものであるから、テグスのような表面が滑らかで且つ硬い対象物の切断も、従前の直線刃の鋏よりもスムーズになされるものである。
【発明を実施するための最良の形態】
【００１０】
次に本発明の実施の形態について説明する。図１及び図２は、和鋏に本発明を適用した例で、この鋏は、基本的に従前の和鋏と同様で、樹脂製の本体部1と、２個の刃体２とで構成されている。
【００１１】
本体部1は全体をＵ状に形成し、先部に刃体取付部１１を設け、Ｕ状基部１２の弾性で対向する刃体取付部１１を近接し、近接状態（刃体取付部の開口付勢状態）で係止すると共に、係止範囲内で刃体取付部１１が接近離脱できるようにした係止部１３を設けてなるものである。
【００１２】
刃体２は、適宜箇所に取付部２２を設けて、刃体取付部１１に固着するもので、特に刃部（刃縁）２１を凹状湾曲刃に形成したものである。
【００１３】
この凹状湾曲刃の湾曲の程度は浅くしたもので、本体部１の刃体取付部１１の開閉操作時において、刃縁２１が基部から刃先部へと順次当接し、刃先部側の部分が刃基部側の部分に先んじて当接しないような湾曲としたものである（図２参照）。
【００１４】
而して通常の鋏のように刃体取付部１１を近接し、刃体取付部１１を強握解除することで、対向刃部間に位置せしめた対象物を切断するもので、特に刃部２１を凹状湾曲刃としているものであるから、直線刃に比較して対象物に対してより平行せん断に近い状態で切断作用がなされるので、対象物の刃先への逃げを抑えることができ、テグスなどの切断に効果的である。
【００１５】
また本発明は前記和鋏に限定されるものではなく、Ｕ状の樹脂製本体を採用するものに代え、基部を枢結すると共に、刃部開口方向へ付勢する発条並びに開口度を制限する係止機構を備えたありふれた和鋏にも適用できるものである。
【００１６】
勿論図３に例示するとおり、刃部３１と把手部３２とを備えた刀体３を中間部分で交差させ、交差部分を枢決軸４で枢結した洋鋏においても、刃部３１を所定の凹状湾曲刃に形成することで本発明を適用できるものである。
【図面の簡単な説明】
【００１７】
【図１】本発明の第一実施形態（和鋏）の正面図。
【図２】同刃部の動作説明図。
【図３】本発明の第二実施形態（洋鋏）の正面図。
【符号の説明】
【００１８】
１        本体部
１１      刃体取付部
１２      Ｕ状基部
２        刃体
２１      刃部（刃縁）
２２      取付部    
３        刀体
３１      刃部
３２      把手部
４        枢決軸
【図１】
2005034382.tif 000003
【図２】
2005034382.tif 000004
【図３】
2005034382.tif 000005